(57)【要約】【課題】  販売者、消費者が、詳細な農産物情報を容易、且つ、迅速に得ることができると共に、農産物に関連する関連情報を容易に得ることができるようにした農産物情報管理システムを提供する。【解決手段】  生産関係者側５に関連情報サービスを行うサービスサーバ２１を設け、該サービスサーバ２１は、農産物に関連する関連情報を識別情報に関連付けて記憶する記憶手段と、該関連情報を検索する検索手段と、前記販売者ＩＣタグ読取手段１７とネットワーク２５を介して通信自在の通信手段とを備え、該販売者ＩＣタグ読取手段１７から、ＩＣタグ１２より読取ったアクセス情報に基づき該サービスサーバ２１にアクセスがあると、該販売者ＩＣタグ読取手段１７からの検索要求に基づき、該検索手段によって前記記憶手段内の関連情報を検索し、前記通信手段を介して前記販売者ＩＣタグ読取手段１７に該関連情報を送信する農産物情報管理システム１を提供する。【選択図】  図１
2006215653.tif 000002
【特許請求の範囲】
【請求項１】
農産物を生産する生産関係者側に、農産物情報、農産物を収納した収納物情報、生産者情報、及び／又は、関連情報等へのアクセス情報を選択的に含む情報を識別情報と共にＩＣタグに書込むための生産関係者ＩＣタグ書込手段を設置し、該農産物、及び／又は、農産物を収納した収納物を流通させる流通業者側に、該農産物、及び／又は、農産物を収納した収納物に貼付されるＩＣタグ内の情報を読取るための流通業者ＩＣタグ読取手段を設置し、該農産物を販売する販売者側に、該ＩＣタグ内の情報を読取るための販売者ＩＣタグ読取手段を設置し、生産関係者側で、前記生産関係者ＩＣタグ書込手段によってＩＣタグに情報を書き込み、該情報が書き込まれたＩＣタグを農産物、及び／又は、農産物を収納した収納物に貼付し、前記流通業者側で前記流通業者ＩＣタグ読取手段によって該ＩＣタグ内の情報を読み取り、該情報に基づき農産物、及び／又は、農産物を収納した収納物を流通させ、前記販売者側で前記販売者ＩＣタグ読取手段によってＩＣタグ内情報を読み取り、該情報に基づき、或いは、該情報を明示して農産物を販売するように構成された農産物情報管理システムであって、前記生産関係者側に関連情報サービスを行うサービスサーバを設け、該サービスサーバは、農産物に関連する関連情報を識別情報に関連付けて記憶する記憶手段と、該関連情報を検索する検索手段と、前記販売者ＩＣタグ読取手段とネットワークを介して通信自在の通信手段とを備え、該販売者ＩＣタグ読取手段から、前記ＩＣタグより読取ったアクセス情報に基づき該サービスサーバにアクセスがあると、該販売者ＩＣタグ読取手段からの検索要求に基づき、該検索手段によって前記記憶手段内の関連情報を検索し、前記通信手段を介して前記販売者ＩＣタグ読取手段に該関連情報を送信するように構成されていることを特徴とする農産物情報管理システム。
【請求項２】
上記農産物情報管理システムに於いて、上記農産物を消費する消費者側に上記ＩＣタグ内の情報を読取るための消費者ＩＣタグ読取手段を設置し、上記サービスサーバは、該消費者ＩＣタグ読取手段とネットワークを介して通信自在に接続され、該消費者ＩＣタグ読取手段から、前記ＩＣタグより読取った上記アクセス情報に基づき該サービスサーバにアクセスがあると、該消費者ＩＣタグ読取手段からの検索要求に基づき、上記検索手段によって上記記憶手段内の関連情報を検索し、上記通信手段を介して該消費者ＩＣタグ読取手段に該関連情報を送信するように構成されていることを特徴とする請求項１記載の農産物情報管理システム。
【請求項３】
上記サービスサーバは、上記流通業者ＩＣタグ読取手段とネットワークを介して通信自在に接続され、該流通業者ＩＣタグ読取手段から、上記ＩＣタグより読取った上記アクセス情報に基づき該サービスサーバにアクセスがあると、該流通業者ＩＣタグ読取手段からの検索要求に基づき、上記検索手段によって上記記憶手段内の関連情報を検索し、該流通業者ＩＣタグ読取手段に該関連情報を送信するように構成されていることを特徴とする請求項１又は２記載の農産物情報管理システム。
【請求項４】
上記サービスサーバは、上記記憶手段に上記ＩＣタグに書込むためのＩＣタグ用情報を記憶し、且つ、上記生産関係者ＩＣタグ書込手段と通信自在に接続され、該生産関係者ＩＣタグ書込手段から、該サービスサーバにアクセスがあると、該生産関係者ＩＣタグ書込手段からの検索要求に基づき、上記検索手段によって上記記憶手段内の該ＩＣタグ用情報を検索し、該生産関係者ＩＣタグ書込手段に該ＩＣタグ用情報を送信するように構成されていることを特徴とする請求項１，２又は３記載の農産物情報管理システム。
【請求項５】
上記販売者ＩＣタグ読取手段、消費者ＩＣタグ読取手段又は流通業者ＩＣタグ読取手段は、該読取手段、及び／又は、ＩＣタグの認証を行うためのＩＤセンターに設置されたＩＤセンターサーバにネットワークを介して通信自在に接続され、該ＩＤセンターサーバは、受信した識別情報を該ＩＤセンターサーバの識別情報記憶手段に予め登録された識別情報と照合して認証する認証手段を備えていると共に、ＩＣタグ内情報に関する非公開情報を識別情報に関連付けて記憶する非公開情報記憶手段、及び、該非公開情報を検索する検索手段を備え、前記販売者ＩＣタグ読取手段、前記消費者ＩＣタグ読取手段又は流通業者ＩＣタグ読取手段から、前記ＩＣタグより読取ったアクセス情報に基づきアクセスがあると、該販売者ＩＣタグ読取手段、前記消費者ＩＣタグ読取手段又は流通業者ＩＣタグ読取手段から送信される識別情報を受信し、該識別情報を該ＩＤセンターサーバの識別情報記憶手段に予め登録された識別情報と照合して認証を行い、認証が正しく行われると、該販売者ＩＣタグ読取手段、前記消費者ＩＣタグ読取手段又は流通業者ＩＣタグ読取手段からの検索要求に基づき、該検索手段によって前記非公開情報記憶手段内の非公開情報を検索し、該販売者ＩＣタグ読取手段、前記消費者ＩＣタグ読取手段又は流通業者ＩＣタグ読取手段に該非公開情報を送信するように構成されていることを特徴とする請求項１，２，３又は４記載の農産物情報管理システム。
【請求項６】
上記読取手段は、携帯端末であることを特徴とする請求項１，２，３，４又は５記載の農産物情報管理システム。
【請求項７】
上記読取手段は、ネットワークに接続自在のコンピュータに通信自在に接続されることを特徴とする請求項１，２，３，４，５又は６記載の農産物情報管理システム。
【請求項８】
上記流通業者ＩＣタグ読取手段、販売者ＩＣタグ読取手段に代えて、夫々流通業者ＩＣタグ読取・書込手段、販売者ＩＣタグ読取・書込手段を設けたことを特徴とする請求項１，２，３，４，５，６又は７記載の農産物情報管理システム。
【請求項９】
上記生産関係者ＩＣタグ書込手段に代えて、生産関係者ＩＣタグ読取・書込手段を設けたことを特徴とする請求項１，２，３，４，５，６，７又は８記載の農産物情報管理システム。
【請求項１０】
上記生産関係者ＩＣタグ書込手段によってＩＣタグ内に書込まれる情報は、農産物名、農産物の数量、農産物の重量、農産物の等級、農産物の糖度、旨味、酸味、辛味、使用した農薬情報、使用した有機肥料情報、使用した化学肥料情報等を選択的に含む農産物情報と、農産物を生産した生産者、農産物の生産に関係した団体等を選択的に含む生産関係者情報と、配送元情報、配送先情報、流通業者情報、収納物内数量、収納物重量、収納物内の被収納体の種類等を選択的に含む農産物を収納した収納物情報と、農産物の関連情報を蓄積するサーバへのアクセス情報とのうち１又は２以上を含むことを特徴とする請求項１又は２記載の農産物情報管理システム。
【発明の詳細な説明】
【技術分野】
【０００１】
本発明は、農産物情報管理システムに関し、特に、販売者、消費者が農産物の詳細な情報を容易に得られるようにした農産物情報管理システムに関するものである。
【背景技術】
【０００２】
此種従来の農産物情報管理システムとして、例えば、特許文献１に農産物情報開示システムが示されており、この農産物情報開示システムは、通信ネットワークを介して、データ蓄積装置と端末装置とが接続され、消費者に対して農産物に関する情報を開示するネットワークであって、端末装置からのコード情報を含む検索要求に基づいて農産物に関するデータ蓄積装置でデータの検索が行われ、端末装置において農産物に関する情報を開示するものである。
【０００３】
又、特許文献２には、農産物の流通システムが記載されており、この農産物の流通システムは、生産された農産物にＩＤ番号を付与し、ＩＤ番号と共に農産物の固体情報をデータベース化したコンピュータシステムと、消費者側に設けたコンピュータを接続し、消費者側のコンピュータからコンピュータシステムにアクセスしてＩＤ番号を送信することにより、コンピュータシステムから送信されたＩＤ番号によって特定される農産物に関する固体情報を消費者側のコンピュータ側で受信し、入手するものである。
【特許文献１】特開２００４−５４３７９号公報
【特許文献２】特開平１０−３０２１０５号公報
【発明の開示】
【発明が解決しようとする課題】
【０００４】
前述した特許文献１に記載の農産物情報開示システムは、端末装置からのコード情報を含む検索要求に基づいて農産物に関するデータ蓄積装置でデータの検索が行われ、端末装置において農産物に関する情報を取得するものであるが、コード情報の入力、検索要求及び送信などの操作手順が必要であり、農産物情報を容易、且つ、迅速に入手できないという問題がある。
【０００５】
又、特許文献２の農産物の流通システムは、ＩＤ番号を送信することにより、コンピュータシステムから送信された農産物に関する固体情報を消費者側のコンピュータ側で入手するものであるが、特許文献２においても、特許文献１と同様に、ＩＤ番号の入力、検索要求及び送信などの操作手順が必要であり、農産物情報を容易、且つ、迅速に入手できないという問題がある。
【０００６】
以上の現状に鑑み、本発明は、販売者、消費者が、詳細な農産物情報を容易、且つ、迅速に得ることができると共に、農産物に関連する関連情報を容易に得ることができるようにした農産物情報管理システムを提供することを目的とする。
【課題を解決するための手段】
【０００７】
上記の課題を解決すべく、本発明は以下の構成を提供する。
請求項１に係る発明は、農産物を生産する生産関係者側に、農産物情報、農産物を収納した収納物情報、生産者情報、及び／又は、関連情報等へのアクセス情報を選択的に含む情報を識別情報と共にＩＣタグに書込むための生産関係者ＩＣタグ書込手段を設置し、該農産物、及び／又は、農産物を収納した収納物を流通させる流通業者側に、該農産物、及び／又は、農産物を収納した収納物に貼付されるＩＣタグ内の情報を読取るための流通業者ＩＣタグ読取手段を設置し、該農産物を販売する販売者側に、該ＩＣタグ内の情報を読取るための販売者ＩＣタグ読取手段を設置し、生産関係者側で、前記生産関係者ＩＣタグ書込手段によってＩＣタグに情報を書き込み、該情報が書き込まれたＩＣタグを農産物、及び／又は、農産物を収納した収納物に貼付し、前記流通業者側で前記流通業者ＩＣタグ読取手段によって該ＩＣタグ内の情報を読み取り、該情報に基づき農産物、及び／又は、農産物を収納した収納物を流通させ、前記販売者側で前記販売者ＩＣタグ読取手段によってＩＣタグ内情報を読み取り、該情報に基づき、或いは、該情報を明示して農産物を販売するように構成された農産物情報管理システムであって、前記生産関係者側に関連情報サービスを行うサービスサーバを設け、該サービスサーバは、農産物に関連する関連情報を識別情報に関連付けて記憶する記憶手段と、該関連情報を検索する検索手段と、前記販売者ＩＣタグ読取手段とネットワークを介して通信自在の通信手段とを備え、該販売者ＩＣタグ読取手段から、前記ＩＣタグより読取ったアクセス情報に基づき該サービスサーバにアクセスがあると、該販売者ＩＣタグ読取手段からの検索要求に基づき、該検索手段によって前記記憶手段内の関連情報を検索し、前記通信手段を介して前記販売者ＩＣタグ読取手段に該関連情報を送信するように構成されていることを特徴とする農産物情報管理システムを提供するものである。
【０００８】
請求項２に係る発明は、上記農産物情報管理システムに於いて、上記農産物を消費する消費者側に上記ＩＣタグ内の情報を読取るための消費者ＩＣタグ読取手段を設置し、上記サービスサーバは、該消費者ＩＣタグ読取手段とネットワークを介して通信自在に接続され、該消費者ＩＣタグ読取手段から、前記ＩＣタグより読取った上記アクセス情報に基づき該サービスサーバにアクセスがあると、該消費者ＩＣタグ読取手段からの検索要求に基づき、上記検索手段によって上記記憶手段内の関連情報を検索し、上記通信手段を介して該消費者ＩＣタグ読取手段に該関連情報を送信するように構成されていることを特徴とする請求項１記載の農産物情報管理システムを提供するものである。
【０００９】
請求項３に係る発明は、上記サービスサーバは、上記流通業者ＩＣタグ読取手段とネットワークを介して通信自在に接続され、該流通業者ＩＣタグ読取手段から、上記ＩＣタグより読取った上記アクセス情報に基づき該サービスサーバにアクセスがあると、該流通業者ＩＣタグ読取手段からの検索要求に基づき、上記検索手段によって上記記憶手段内の関連情報を検索し、該流通業者ＩＣタグ読取手段に該関連情報を送信するように構成されていることを特徴とする請求項１又は２記載の農産物情報管理システムを提供するものである。
【００１０】
請求項４に係る発明は、上記サービスサーバは、上記記憶手段に上記ＩＣタグに書込むためのＩＣタグ用情報を記憶し、且つ、上記生産関係者ＩＣタグ書込手段と通信自在に接続され、該生産関係者ＩＣタグ書込手段から、該サービスサーバにアクセスがあると、該生産関係者ＩＣタグ書込手段からの検索要求に基づき、上記検索手段によって上記記憶手段内の該ＩＣタグ用情報を検索し、該生産関係者ＩＣタグ書込手段に該ＩＣタグ用情報を送信するように構成されていることを特徴とする請求項１，２又は３記載の農産物情報管理システムを提供するものである。
【００１１】
請求項５に係る発明は、上記販売者ＩＣタグ読取手段、消費者ＩＣタグ読取手段又は流通業者ＩＣタグ読取手段は、該読取手段、及び／又は、ＩＣタグの認証を行うためのＩＤセンターに設置されたＩＤセンターサーバにネットワークを介して通信自在に接続され、該ＩＤセンターサーバは、受信した識別情報を該ＩＤセンターサーバの識別情報記憶手段に予め登録された識別情報と照合して認証する認証手段を備えていると共に、ＩＣタグ内情報に関する非公開情報を識別情報に関連付けて記憶する非公開情報記憶手段、及び、該非公開情報を検索する検索手段を備え、前記販売者ＩＣタグ読取手段、前記消費者ＩＣタグ読取手段又は流通業者ＩＣタグ読取手段から、前記ＩＣタグより読取ったアクセス情報に基づきアクセスがあると、該販売者ＩＣタグ読取手段、前記消費者ＩＣタグ読取手段又は流通業者ＩＣタグ読取手段から送信される識別情報を受信し、該識別情報を該ＩＤセンターサーバの識別情報記憶手段に予め登録された識別情報と照合して認証を行い、認証が正しく行われると、該販売者ＩＣタグ読取手段、前記消費者ＩＣタグ読取手段又は流通業者ＩＣタグ読取手段からの検索要求に基づき、該検索手段によって前記非公開情報記憶手段内の非公開情報を検索し、該販売者ＩＣタグ読取手段、前記消費者ＩＣタグ読取手段又は流通業者ＩＣタグ読取手段に該非公開情報を送信するように構成されていることを特徴とする請求項１，２，３又は４記載の農産物情報管理システムを提供するものである。
【００１２】
請求項６に係る発明は、上記読取手段は、携帯端末であることを特徴とする請求項１，２，３，４又は５記載の農産物情報管理システムを提供するものである。
【００１３】
請求項７に係る発明は、上記読取手段は、ネットワークに接続自在のコンピュータに通信自在に接続されることを特徴とする請求項１，２，３，４，５又は６記載の農産物情報管理システムを提供するものである。
【００１４】
請求項８に係る発明は、上記流通業者ＩＣタグ読取手段、販売者ＩＣタグ読取手段に代えて、夫々流通業者ＩＣタグ読取・書込手段、販売者ＩＣタグ読取・書込手段を設けたことを特徴とする請求項１，２，３，４，５，６又は７記載の農産物情報管理システムを提供するものである。
【００１５】
請求項９に係る発明は、上記生産関係者ＩＣタグ書込手段に代えて、生産関係者ＩＣタグ読取・書込手段を設けたことを特徴とする請求項１，２，３，４，５，６，７又は８記載の農産物情報管理システムを提供するものである。
【００１６】
請求項１０に係る発明は、上記生産関係者ＩＣタグ書込手段によってＩＣタグ内に書込まれる情報は、農産物名、農産物の数量、農産物の重量、農産物の等級、農産物の糖度、旨味、酸味、辛味、使用した農薬情報、使用した有機肥料情報、使用した化学肥料情報等を選択的に含む農産物情報と、農産物を生産した生産者、農産物の生産に関係した団体等を選択的に含む生産関係者情報と、配送元情報、配送先情報、流通業者情報、収納物内数量、収納物重量、収納物内の被収納体の種類等を選択的に含む農産物を収納した収納物情報と、農産物の関連情報を蓄積するサーバへのアクセス情報とのうち１又は２以上を含むことを特徴とする請求項１又は２記載の農産物情報管理システムを提供するものである。
【発明の効果】
【００１７】
本発明の請求項１記載の発明によれば、農産物を生産する生産関係者側に、農産物情報、農産物を収納した収納物情報、生産者情報、及び／又は、関連情報等へのアクセス情報を選択的に含む情報を識別情報と共にＩＣタグに書込むための生産関係者ＩＣタグ書込手段を設置し、該農産物、及び／又は、農産物を収納した収納物を流通させる流通業者側に、該農産物、及び／又は、農産物を収納した収納物に貼付されるＩＣタグ内の情報を読取るための流通業者ＩＣタグ読取手段を設置し、該農産物を販売する販売者側に、該ＩＣタグ内の情報を読取るための販売者ＩＣタグ読取手段を設置し、生産関係者側で、前記生産関係者ＩＣタグ書込手段によってＩＣタグに情報を書き込み、該情報が書き込まれたＩＣタグを農産物、及び／又は、農産物を収納した収納物に貼付し、前記流通業者側で前記流通業者ＩＣタグ読取手段によって該ＩＣタグ内の情報を読み取り、該情報に基づき農産物、及び／又は、農産物を収納した収納物を流通させ、前記販売者側で前記販売者ＩＣタグ読取手段によってＩＣタグ内情報を読み取り、該情報に基づき、或いは、該情報を明示して農産物を販売するように構成された農産物情報管理システムであって、前記生産関係者側に関連情報サービスを行うサービスサーバを設け、該サービスサーバは、農産物に関連する関連情報を識別情報に関連付けて記憶する記憶手段と、該関連情報を検索する検索手段と、前記販売者ＩＣタグ読取手段とネットワークを介して通信自在の通信手段とを備え、該販売者ＩＣタグ読取手段から、前記ＩＣタグより読取ったアクセス情報に基づき該サービスサーバにアクセスがあると、該販売者ＩＣタグ読取手段からの検索要求に基づき、該検索手段によって前記記憶手段内の関連情報を検索し、前記通信手段を介して前記販売者ＩＣタグ読取手段に該関連情報を送信するように構成されている農産物情報管理システムを提供するので、販売者側で、前記ＩＣタグ内に書き込まれた情報を読取ることにより、詳細な農産物情報を容易、且つ、迅速に得ることができると共に、前記販売者ＩＣタグ読取手段からサービスサーバにネットワークを介してアクセスすることにより、農産物に関連する関連情報を容易に得ることができる。
【００１８】
請求項２記載の発明によれば、上記農産物情報管理システムに於いて、上記農産物を消費する消費者側に上記ＩＣタグ内の情報を読取るための消費者ＩＣタグ読取手段を設置し、上記サービスサーバは、該消費者ＩＣタグ読取手段とネットワークを介して通信自在に接続され、該消費者ＩＣタグ読取手段から、前記ＩＣタグより読取った上記アクセス情報に基づき該サービスサーバにアクセスがあると、該消費者ＩＣタグ読取手段からの検索要求に基づき、上記検索手段によって上記記憶手段内の関連情報を検索し、上記通信手段を介して該消費者ＩＣタグ読取手段に該関連情報を送信するように構成されているので、請求項１記載の発明の効果に加え、消費者側で、前記ＩＣタグ内の情報を読取って、詳細な農産物情報を容易、且つ、迅速に得ることができると共に、前記消費者ＩＣタグ読取手段からサービスサーバにアクセスすることにより、農産物に関連する関連情報を容易に得ることができる。
【００１９】
請求項３記載の発明によれば、上記サービスサーバは、上記流通業者ＩＣタグ読取手段とネットワークを介して通信自在に接続され、該流通業者ＩＣタグ読取手段から、上記ＩＣタグより読取った上記アクセス情報に基づき該サービスサーバにアクセスがあると、該流通業者ＩＣタグ読取手段からの検索要求に基づき、上記検索手段によって上記記憶手段内の関連情報を検索し、該流通業者ＩＣタグ読取手段に該関連情報を送信するように構成されているので、請求項１又は２記載の発明の効果に加え、流通業者側で、前記ＩＣタグ内の情報を読取って、詳細な農産物情報を容易、且つ、迅速に得ることができると共に、前記流通業者ＩＣタグ読取手段からサービスサーバにアクセスすることにより、農産物に関連する関連情報を容易に得ることができる。
【００２０】
請求項４記載の発明によれば、上記サービスサーバは、上記記憶手段に上記ＩＣタグに書込むためのＩＣタグ用情報を記憶し、且つ、上記生産関係者ＩＣタグ書込手段と通信自在に接続され、該生産関係者ＩＣタグ書込手段から、該サービスサーバにアクセスがあると、該生産関係者ＩＣタグ書込手段からの検索要求に基づき、上記検索手段によって上記記憶手段内の該ＩＣタグ用情報を検索し、該生産関係者ＩＣタグ書込手段に該ＩＣタグ用情報を送信するように構成されているので、請求項１，２又は３記載の発明の効果に加え、前記生産関係者ＩＣタグ書込手段からサービスサーバにアクセスすることにより、ＩＣタグに書込むためのＩＣタグ用情報を容易に得ることができる。
【００２１】
請求項５記載の発明によれば、上記販売者ＩＣタグ読取手段、消費者ＩＣタグ読取手段又は流通業者ＩＣタグ読取手段は、該読取手段、及び／又は、ＩＣタグの認証を行うためのＩＤセンターに設置されたＩＤセンターサーバにネットワークを介して通信自在に接続され、該ＩＤセンターサーバは、受信した識別情報を該ＩＤセンターサーバの識別情報記憶手段に予め登録された識別情報と照合して認証する認証手段を備えていると共に、ＩＣタグ内情報に関する非公開情報を識別情報に関連付けて記憶する非公開情報記憶手段、及び、該非公開情報を検索する検索手段を備え、前記販売者ＩＣタグ読取手段、前記消費者ＩＣタグ読取手段又は流通業者ＩＣタグ読取手段から、前記ＩＣタグより読取ったアクセス情報に基づきアクセスがあると、該販売者ＩＣタグ読取手段、前記消費者ＩＣタグ読取手段又は流通業者ＩＣタグ読取手段から送信される識別情報を受信し、該識別情報を該ＩＤセンターサーバの識別情報記憶手段に予め登録された識別情報と照合して認証を行い、認証が正しく行われると、該販売者ＩＣタグ読取手段、前記消費者ＩＣタグ読取手段又は流通業者ＩＣタグ読取手段からの検索要求に基づき、該検索手段によって前記非公開情報記憶手段内の非公開情報を検索し、該販売者ＩＣタグ読取手段、前記消費者ＩＣタグ読取手段又は流通業者ＩＣタグ読取手段に該非公開情報を送信するように構成されているので、請求項１，２，３又は４記載の発明の効果に加え、前記販売者ＩＣタグ読取手段、消費者ＩＣタグ読取手段又は流通業者ＩＣタグ読取手段によって、ＩＤセンターサーバからＩＣタグ内情報に関する非公開情報を得ることができる。
【００２２】
請求項６記載の発明によれば、上記読取手段は、携帯端末であるので、請求項１，２，３，４又は５記載の発明の効果に加え、携帯できる利便性がある。
【００２３】
請求項７記載の発明によれば、上記読取手段は、ネットワークに接続自在のコンピュータに通信自在に接続されるので、請求項１，２，３，４，５又は６記載の発明の効果に加え、コンピュータによる大量データの取得、大量データの表示、入出力の容易性等の利点を得ることができる。
【００２４】
請求項８記載の発明によれば、上記流通業者ＩＣタグ読取手段、販売者ＩＣタグ読取手段に代えて、夫々流通業者ＩＣタグ読取・書込手段、販売者ＩＣタグ読取・書込手段を設けたので、請求項１，２，３，４，５，６又は７記載の発明の効果に加え、流通業者側、販売業者側でＩＣタグへの情報の書き込みが可能となり、流通、販売過程における情報を追加できる。
【００２５】
請求項９記載の発明によれば、上記生産関係者ＩＣタグ書込手段に代えて、生産関係者ＩＣタグ読取・書込手段を設けたので、請求項１，２，３，４，５，６，７又は８記載の発明の効果に加え、生産関係者側で、ＩＣタグの読取が可能となる。
【００２６】
請求項１０記載の発明によれば、上記生産関係者ＩＣタグ書込手段によってＩＣタグ内に書込まれる情報は、農産物名、農産物の数量、農産物の重量、農産物の等級、農産物の糖度、旨味、酸味、辛味、使用した農薬情報、使用した有機肥料情報、使用した化学肥料情報等を選択的に含む農産物情報と、農産物を生産した生産者、農産物の生産に関係した団体等を選択的に含む生産関係者情報と、配送元情報、配送先情報、流通業者情報、収納物内数量、収納物重量、収納物内の被収納体の種類等を選択的に含む農産物を収納した収納物情報と、農産物の関連情報を蓄積するサーバへのアクセス情報とのうち１又は２以上を含むので、請求項１又は２記載の発明の効果に加え、読取手段によって前記情報を読取って利用することができる。
【発明を実施するための最良の形態】
【００２７】
以下、実施例を示した図面を参照しつつ本発明の実施の形態を説明する。
図１に於いて、１は農産物情報管理システムを示し、農産物情報管理システム１は、農産物２を生産する生産者３、及び／又は、集荷場等４の生産関係者側５に、図２に示す農産物情報６、農産物２の収納物７に関する収納物情報８、生産者情報９、及び、関連情報等へのアクセス情報１０（例えば、後述するサービスサーバ及びＩＤセンターサーバへのアクセス用情報）を選択的に含む情報を識別情報１１と共にＩＣタグ１２内のメモリ１２ｃに書込むための生産関係者ＩＣタグ書込手段１３が設置され、農産物２、農産物２の収納物７を流通させる流通業者側１４に、農産物２、収納物７に貼付されるＩＣタグ１２内の情報を読取るための流通業者ＩＣタグ読取手段１５が設置され、農産物を販売する販売者側１６に、ＩＣタグ１２内の情報を読取るための販売者ＩＣタグ読取手段１７が設置される。
【００２８】
尚、前記ＩＣタグ１２は、図３に示す如く、基板１２ａ上にＩＣチップ１２ｂと、ＩＣチップ１２ｂに接続されたメモリ１２ｃと、ＩＣチップ１２ｂに接続されたアンテナ１２ｄとが配設されている。メモリ１２ｃによって、比較的大量の情報量が記憶可能であり、従って、詳細な農産物情報６等が記憶できる。
【００２９】
そして、図１に示す如く、生産関係者側５で、前記生産関係者ＩＣタグ書込手段１３によってＩＣタグ１２に情報を書き込み、情報が書き込まれた１枚のＩＣタグ１２を農産物２、又は、農産物２の収納物７に貼付し、前記流通業者側１４で前記流通業者ＩＣタグ読取手段１５によってＩＣタグ１２内の情報を読み取り、読取った情報に基づき農産物２、又は、農産物２を収納した収納物７を流通させ、前記販売者側１６で前記販売者ＩＣタグ読取手段１７によってＩＣタグ１２内情報を読み取り、読取った情報に基づき、或いは、読取った情報を明示して農産物２を販売するように構成されている。
【００３０】
尚、前記農産物情報６としては、農産物名、農産物の数量、農産物の重量、農産物の等級、農産物の糖度、旨味、酸味、辛味、使用した農薬情報、使用した有機肥料情報、使用した化学肥料情報等が選択的に含まれる。
【００３１】
又、収納物情報８としては、収納物内数量、収納物重量、収納物内の被収納体の種類、配送元情報、配送先情報、流通業者情報等が選択的に含まれる。
【００３２】
更に、生産者情報９としては、農産物を生産した生産者の紹介等が含まれる。
【００３３】
更に又、アクセス情報１０としては、前述したように、農産物の関連情報を蓄積するサービスサーバへのアクセス情報、非公開情報等を提供するＩＤセンターサーバへのアクセス情報等が含まれる。尚、ＩＣタグ１２内に書き込む情報は前記メモリ１２ｃの容量制限内で任意に設定できる。
【００３４】
そして、前記生産関係者側５の例えば農協等に関連情報サービスを行うサービスサーバ２１を設け、サービスサーバ２１は、図４及び図５に示す如く、サービスする関連情報２２を識別情報１１に関連付けて記憶する記憶手段２３と、関連情報２２を検索する検索手段２４と、前記販売者ＩＣタグ読取手段１７とネットワーク２５を介して通信自在の通信手段２６とを備えている。
【００３５】
而して、図６及び図１に示すように、販売者ＩＣタグ読取手段１７から、前記ＩＣタグ１２より読取った図２に示すアクセス情報１０に基づきサービスサーバ２１にアクセスがあると、販売者ＩＣタグ読取手段１７からの識別情報１１等を検索項目とする検索要求に基づき（ステップＳ１）、図５に示す検索手段２４によって記憶手段２３内の関連情報２２を検索し（ステップＳ２）、前記通信手段２６を介して前記販売者ＩＣタグ読取手段１７に関連情報を送信する（ステップＳ３）ように構成されている。
【００３６】
又、前記農産物情報管理システム１に於いて、図１に示す農産物２を消費する消費者側３１に前記ＩＣタグ１２内の情報を読取るための消費者ＩＣタグ読取手段３２を設置し、前記サービスサーバ２１は、消費者ＩＣタグ読取手段３２とネットワーク２５を介して通信自在に接続されている。
【００３７】
そして、図１及び図７に示す如く、消費者ＩＣタグ読取手段３２から、前記ＩＣタグ１２より読取った情報に基づきサービスサーバ２１にアクセスがあると、消費者ＩＣタグ読取手段３２からの識別情報１１等を検索項目とする検索要求に基づき（ステップＳ１１）、図５に示す前記検索手段２４によって前記記憶手段２３内の関連情報２２を検索し（ステップＳ１２）、前記通信手段２６を介して消費者ＩＣタグ読取手段３２に関連情報を送信するように構成されている（ステップＳ１３）。
【００３８】
又、図１に示す如く、前記サービスサーバ２１は、前記流通業者ＩＣタグ読取手段１５とネットワーク２５を介して通信自在に接続されている。
【００３９】
そして、図１及び図８に示す如く、流通業者ＩＣタグ読取手段１５から、前記ＩＣタグ１２より読取ったアクセス情報１０に基づきサービスサーバ２１にアクセスがあると、流通業者ＩＣタグ読取手段１５からの識別情報１１等を検索項目とする検索要求に基づき（ステップＳ２１）、図５に示す前記検索手段２４によって記憶手段２３内の関連情報２２を検索し（ステップＳ２２）、流通業者ＩＣタグ読取手段１５に関連情報２２を送信する（ステップＳ２３）ように構成されている。
【００４０】
更に、前記サービスサーバ２１は、図４に示す如く、前記記憶手段２３に、ＩＣタグ１２に書込むためのＩＣタグ用情報３３を識別情報１１と関連付けて記憶し、且つ、前記生産関係者ＩＣタグ書込手段１３と通信自在に接続されている。
【００４１】
そして、図１及び図９に示す如く、生産関係者ＩＣタグ書込手段１３から、サービスサーバ２１にアクセスがあると、生産関係者ＩＣタグ書込手段１３からの識別情報１１等を検索項目とする検索要求に基づき（ステップＳ３１）、図５に示す前記検索手段２４によって前記記憶手段２３内のＩＣタグ用情報３３を検索し（ステップＳ３２）、生産関係者ＩＣタグ書込手段１３にＩＣタグ用情報３３を送信するように構成されている。これによって、生産関係者ＩＣタグ書込手段１３は、受信したＩＣタグ用情報３３を利用してＩＣタグ１２内に情報を書き込むことができる。
【００４２】
更に又、図１に示す如く、前記販売者ＩＣタグ読取手段１７、消費者ＩＣタグ読取手段３２又は流通業者ＩＣタグ読取手段１５は、これらの読取手段１７，３２，１５、及び／又は、ＩＣタグ１２の認証を行うためのＩＤセンター４１に設置されたＩＤセンターサーバ４２にネットワーク２５を介して通信自在に接続され、図１０に示す如く、ＩＤセンターサーバ４２は、ＩＤセンターサーバ４２の識別情報記憶手段４３に予め登録された識別情報４４と、図２に示す識別情報１１とを照合して認証する認証手段４５を備えていると共に、農産物に関する非公開情報４６を識別情報４４に関連付けて記憶する非公開情報記憶手段４７、非公開情報４６を検索する検索手段４８、及び、通信手段４９を備えている。
【００４３】
そして、図１及び図１１に示す如く、ＩＤセンターサーバ４２は、前記販売者ＩＣタグ読取手段１７、前記消費者ＩＣタグ読取手段３２又は流通業者ＩＣタグ読取手段１５から、図２に示す前記ＩＣタグ１２より読取ったアクセス情報１０に基づきアクセスがあると（ステップＳ４１）、販売者ＩＣタグ読取手段１７、前記消費者ＩＣタグ読取手段３２又は流通業者ＩＣタグ読取手段１５から送信される識別情報１１を受信し（ステップＳ４２）、識別情報１１を図１０に示す識別情報記憶手段４３に予め登録された識別情報４４と照合して認証を行い（ステップＳ４３）、認証が正しく行われると、販売者ＩＣタグ読取手段１７、前記消費者ＩＣタグ読取手段３２又は流通業者ＩＣタグ読取手段１５からの検索要求に基づき（ステップＳ４４）、検索手段４８によって前記非公開情報記憶手段４７内の非公開情報４６を検索し（ステップＳ４５）、通信手段４９によって、検索された非公開情報を、販売者ＩＣタグ読取手段１７、消費者ＩＣタグ読取手段３２又は流通業者ＩＣタグ読取手段１５に夫々送信する（ステップＳ４６）ように構成されている。
【００４４】
尚、前記流通業者ＩＣタグ読取手段１５、販売者ＩＣタグ読取手段１７及び消費者ＩＣタグ読取手段３２は、携帯端末が用いられるが、携帯端末に限定されることなく、据置型端末にすることも可能である。又、前記流通業者ＩＣタグ読取手段１５、販売者ＩＣタグ読取手段１７及び消費者ＩＣタグ読取手段３２としての携帯端末として、図１に例示するように、携帯電話６１を用いることも可能である。
【００４５】
或いは、前記流通業者ＩＣタグ読取手段１５、販売者ＩＣタグ読取手段１７及び消費者ＩＣタグ読取手段３２、生産関係者ＩＣタグ書込手段１３は、ネットワーク２５に接続自在のコンピュータ５１，５２，５３，５４に通信自在に接続されても良い。然る時は、コンピュータ５１，５２，５３，５４によって、前記サービスサーバ２１、又は、ＩＤセンターサーバ４２と通信する。
【００４６】
又、前記流通業者ＩＣタグ読取手段１５、販売者ＩＣタグ読取手段１７及び消費者ＩＣタグ読取手段３２は、読取手段に限定されるものではなく、読取手段に代えて、読取・書込手段にすることも可能である。
【００４７】
更に、前記生産関係者ＩＣタグ書込手段１３は、書込手段に限定されるものではなく、書込手段に代えて、読取・書込手段にすることも可能である。
【００４８】
斯くして、本発明の農産物情報管理システム１は、生産関係者側５で、前記生産関係者ＩＣタグ書込手段１３によってＩＣタグ１２に農産物情報６等を書き込み、情報が書き込まれたＩＣタグ１２を農産物２、又は、農産物を収納した収納物７に貼付し、前記流通業者側１４で前記流通業者ＩＣタグ読取手段１５によってＩＣタグ１２内の情報を読み取り、この情報に基づき農産物２、又は、農産物を収納した収納物７を流通させ、前記販売者側１６で前記販売者ＩＣタグ読取手段１７によってＩＣタグ１２内情報を読み取り、この情報に基づき、或いは、この情報を明示して農産物２を販売するように構成されており、更に、販売者ＩＣタグ読取手段１７から、前記ＩＣタグ１２より読取ったアクセス情報１０に基づきサービスサーバ２１にアクセスがあると、販売者ＩＣタグ読取手段１７からの検索要求に基づき、検索手段２４によって前記記憶手段２３内の関連情報２２を検索し、前記通信手段２６を介して前記販売者ＩＣタグ読取手段１７にこの関連情報２２を送信することができ、販売者側１６で、前記ＩＣタグ１２内に書き込まれた情報を読取ることにより、詳細な農産物情報６を容易、且つ、迅速に得ることができると共に、前記販売者ＩＣタグ読取手段１７からサービスサーバ２１にネットワーク２５を介してアクセスすることにより、農産物に関連する関連情報２２を容易に得ることができる。
【００４９】
又、前記農産物情報管理システム１は、消費者ＩＣタグ読取手段３２から、前記ＩＣタグ１２より読取った情報に基づきサービスサーバ２１にアクセスがあると、消費者ＩＣタグ読取手段３２からの検索要求に基づき、前記検索手段２４によって記憶手段２３内の関連情報２２を検索し、通信手段２６を介して消費者ＩＣタグ読取手段３２にこの関連情報２２を送信するように構成されているので、消費者側３１で、前記ＩＣタグ１２内の情報を読取って、農産物情報６等を容易、且つ、迅速に得ることができると共に、前記消費者ＩＣタグ読取手段３２からサービスサーバ２１にアクセスすることにより、農産物２に関連する関連情報２２を容易に得ることができる。
【００５０】
更に、前記流通業者ＩＣタグ読取手段１５から、ＩＣタグ１２より読取った情報に基づきサービスサーバ２１にアクセスがあると、流通業者ＩＣタグ読取手段１５からの検索要求に基づき、検索手段２４によって記憶手段２３内の関連情報２２を検索し、流通業者ＩＣタグ読取手段１５に関連情報２２を送信するように構成されているので、流通業者側１４で、前記ＩＣタグ１２内の情報を読取って、農産物情報２等を容易、且つ、迅速に得ることができると共に、前記流通業者ＩＣタグ読取手段１５からサービスサーバ２１にアクセスすることにより、農産物２に関連する関連情報２２を容易に得ることができる。
【００５１】
更に又、前記生産関係者ＩＣタグ書込手段１３から、サービスサーバ２１にアクセスがあると、生産関係者ＩＣタグ書込手段１３からの検索要求に基づき、検索手段２４によって記憶手段２３内のＩＣタグ用情報３３を検索し、生産関係者ＩＣタグ書込手段１３にＩＣタグ用情報３３を送信するように構成されているので、前記生産関係者ＩＣタグ書込手段１３からサービスサーバ２１にアクセスすることにより、ＩＣタグ１２に書込むためのＩＣタグ用情報３３を容易に得ることができる。
【００５２】
そして、前記販売者ＩＣタグ読取手段１７、前記消費者ＩＣタグ読取手段３２又は流通業者ＩＣタグ読取手段３２から、前記ＩＣタグ１２より読取ったアクセス情報１０に基づきアクセスがあると、販売者ＩＣタグ読取手段１７、前記消費者ＩＣタグ読取手段３２又は流通業者ＩＣタグ読取手段１５から送信される識別情報１１を受信し、識別情報１１をＩＤセンターサーバ４２の識別情報記憶手段４３に予め登録された識別情報４４と照合して認証を行い、認証が正しく行われると、販売者ＩＣタグ読取手段１７、前記消費者ＩＣタグ読取手段３２又は流通業者ＩＣタグ読取手段１５からの検索要求に基づき、検索手段４８によって前記非公開情報記憶手段４７内の非公開情報４６を検索し、販売者ＩＣタグ読取手段１７、前記消費者ＩＣタグ読取手段３２又は流通業者ＩＣタグ読取手段１５に非公開情報４６を送信するように構成されているので、前記販売者ＩＣタグ読取手段１７、消費者ＩＣタグ読取手段３２又は流通業者ＩＣタグ読取手段１５によって、ＩＤセンターサーバ４２からＩＣタグ１２内情報に関する非公開情報４６を得ることができる。又、前述の認証により、非公開情報４６の漏洩を防止できる。
【００５３】
又、前記販売者ＩＣタグ読取手段１７、前記消費者ＩＣタグ読取手段３２又は流通業者ＩＣタグ読取手段１５は、携帯端末であるので、携帯できる利便性がある。
【００５４】
更に、前記販売者ＩＣタグ読取手段１７、前記消費者ＩＣタグ読取手段３２又は流通業者ＩＣタグ読取手段１５、生産関係者ＩＣタグ書込手段１３は、ネットワーク２５に接続自在のコンピュータ５１，５２，５３，５４に夫々通信自在に接続されるので、コンピュータ５１，５２，５３，５４による大量データの取得、大量データの表示、入出力の容易性等の利点を得ることができる。
【００５５】
更に又、上記流通業者ＩＣタグ読取手段１５、販売者ＩＣタグ読取手段１７に代えて、夫々流通業者ＩＣタグ読取・書込手段、販売者ＩＣタグ読取・書込手段を設けることも可能であり、然る時は、流通業者側１４、販売業者側１６でＩＣタグ１２への情報の書き込みが可能となり、流通、販売過程における情報をＩＣタグ１２内へ追記できる。
【００５６】
そして、前記生産関係者ＩＣタグ書込手段１３に代えて、生産関係者ＩＣタグ読取・書込手段１３を設けることも可能であり、然る時は、生産関係者側５で、ＩＣタグ１２の読取が可能となる。
【００５７】
尚、前述の農産物情報管理システム１の説明に於いて、前記流通業者側１４、販売者側１６、消費者側３１、及び、生産関係者側５は、説明の都合上、夫々、１つを表示して説明したが、夫々複数存在しても良く、然る時も本発明が適用されるものであり、同様な効果が期待できる。
【００５８】
又、前述の農産物情報管理システム１に於いて、農産物を用いて説明したが、農産物に限定されることなく、農産物に代えて、農産物加工品とすることも可能であり、然る時も同様な効果が期待できる。
【００５９】
更に、本発明の農産物情報管理システム１を畜産物、畜産物加工品、水産物、又は、水産物加工品のための情報管理システムとして応用することも可能であり、然る時も同様な効果が期待できる。
【００６０】
更に又、前述の農産物情報管理システム１に於いて、前記ＩＣタグ１２を生産関係者側５で１枚貼付したが、それに加えて、流通に関する情報のみを書き込むためのＩＣタグ１２を別に貼付しても良い。その場合、ＩＣタグ１２が２枚貼付されることになるが、これによって流通業者１４での情報の読み取りが容易になり、流通の促進を図ることができる。尚、この流通に関する情報のみを書き込むＩＣタグ１２は流通業者側１４で貼付されることになるが、それに限定されるものではなく、生産関係者側５で貼付しても良い。
【図面の簡単な説明】
【００６１】
【図１】本発明による農産物情報管理システムを概略的に示す説明図である。
【図２】本発明によるＩＣタグ内の情報を概略的に示す説明図である。
【図３】本発明のＩＣタグを概略的に示す説明図である。
【図４】本発明のサービスサーバの記憶手段内情報を概略的に示す説明図である。
【図５】本発明のサービスサーバの一部を概略的に示す説明図である。
【図６】本発明の販売者ＩＣタグ読取手段からサービスサーバへのアクセス時の処理手順を示す説明図である。
【図７】本発明の消費者ＩＣタグ読取手段からサービスサーバへのアクセス時の処理手順を示す説明図である。
【図８】本発明の流通業者ＩＣタグ読取手段からサービスサーバへのアクセス時の処理手順を示す説明図である。
【図９】本発明の生産関係者ＩＣタグ書込手段からサービスサーバへのアクセス時の処理手順を示す説明図である。
【図１０】本発明のＩＤセンターサーバの一部を概略的に示す説明図である。
【図１１】本発明のＩＤセンターサーバへのアクセス時の処理手順を示す説明図である。
【符号の説明】
【００６２】
１  農産物情報管理システム
２  農産物
５  生産関係者側
６  農産物情報
７  収納物
８  収納物情報
９  生産者情報
１０  アクセス情報
１１  識別情報
１２  ＩＣタグ
１３  生産関係者ＩＣタグ書込手段
１４  流通業者側
１５  流通業者ＩＣタグ読取手段
１６  販売者側
１７  販売者ＩＣタグ読取手段
２１  サービスサーバ
２２  関連情報
２３  記憶手段
２４  検索手段
２５  ネットワーク
２６  通信手段
３１  消費者側
３２  消費者ＩＣタグ読取手段
３３  ＩＣタグ用情報
４１  ＩＤセンター
４２  ＩＤセンターサーバ
４３  識別情報記憶手段
４４  識別情報
４５  認証手段
４６  非公開情報
４７  非公開情報記憶手段
４８  検索手段
５１，５２，５３，５４  コンピュータ
【図１】
2006215653.tif 000003
【図２】
2006215653.tif 000004
【図３】
2006215653.tif 000005
【図４】
2006215653.tif 000006
【図５】
2006215653.tif 000007
【図６】
2006215653.tif 000008
【図７】
2006215653.tif 000009
【図８】
2006215653.tif 000010
【図９】
2006215653.tif 000011
【図１０】
2006215653.tif 000012
【図１１】
2006215653.tif 000013